(57)【要約】【課題】機密保持が不要な原稿を取り扱うことが多い機器の操作性を向上させつつ、機密保持が必要な原稿の機密を確保することができる画像形成装置を提供する。【解決手段】シート状の原稿画像を画像読取部４０、５０に搬送する原稿搬送手段３ａと、前記画像読取部４０、５０で読取られた画像データを送信するファクシミリ手段１５を備えた画像形成装置１に、前記原稿搬送手段３ａで搬送された原稿を排出せずに処理する原稿処理手段３ｂ、７、１３ｃと、前記原稿搬送手段３ａで搬送された原稿を排出せずに処理するか排出するかを設定する第一原稿処理設定手段を備える。【選択図】図１
2008060678.tif 000002
【特許請求の範囲】
【請求項１】
シート状の原稿画像を画像読取部に搬送する原稿搬送手段と、前記画像読取部で読取られた画像データを送信するファクシミリ手段を備えた画像形成装置であって、
前記原稿搬送手段で搬送された原稿を排出せずに処理する原稿処理手段と、前記原稿搬送手段で搬送された原稿を排出せずに処理するか排出するかを設定する第一原稿処理設定手段を備えている画像形成装置。
【請求項２】
前記原稿処理手段が前記原稿搬送手段で搬送された原稿を破棄する裁断手段である請求項１記載の画像形成装置。
【請求項３】
前記原稿処理手段が前記原稿搬送手段で搬送された原稿の裏面を記録面として記録紙収容部に収容する再給紙手段である請求項１または２記載の画像形成装置。
【請求項４】
前記原稿処理手段が、前記原稿搬送手段で搬送された原稿を破棄する裁断手段と、前記原稿搬送手段で搬送された原稿の裏面を記録面として記録紙収容部に収容する再給紙手段を備えて構成され、原稿を破棄するか収容するかを設定する第二原稿処理設定手段を備えている請求項１記載の画像処理装置。
【請求項５】
前記原稿処理手段が、前記原稿搬送手段で搬送された原稿を破棄する裁断手段と、前記原稿処理手段が前記原稿搬送手段で搬送された原稿の裏面を記録面として記録紙収容部に収容する再給紙手段を備えて構成され、前記原稿搬送手段で搬送された原稿の裏面画像を検出する裏面画像検出手段をさらに備え、原稿の裏面画像が検出されたときに裁断し、原稿の裏面画像が検出されなかったときに収容する請求項１記載の画像形成装置。
【発明の詳細な説明】
【技術分野】
【０００１】
本発明は、シート状の原稿画像を画像読取り部に搬送する原稿搬送手段と、前記画像読取部で読取られた画像データを送信するファクシミリ手段を備えた画像形成装置に関する。
【背景技術】
【０００２】
例えば、税法や商法、労働法などの各種法令により、民間企業が作成・保存することを義務付けられている文書・帳票類の電磁化（電子的・磁気的）を、一部の例外を除いて一括して認める通称「電子文書法(e-文書法)」が２００５年４月１日に施行されるなど、近年、省力、省資源及び省コスト等を目的として、ペーパーレス化が進められている。
【０００３】
ところで、特許文献１には、画像情報を読み取った後の原稿の機密を確実に保持することを目的として、原稿の画像情報を読み取る画像読取手段と、原稿を給紙・搬送・排出する自動原稿搬送手段と、読み取った画像情報を記憶する画像情報記憶手段とを備えた画像読取装置に、画像情報を読み取った後の原稿を裁断する裁断手段と、画像情報を読み取った後の原稿を一時保管する密閉型の原稿保管部と、原稿の処分内容に応じて排出先を選択制御する選択制御手段とを設け、選択制御手段は、原稿が画像情報を読み取った後、原稿の保管が必要であると判断した場合には、原稿保管部に排出し、原稿の保管が不要であり、かつ、機密保持を要するものであると判断した場合には、裁断手段に排出して、当該原稿を裁断するように制御するように構成された画像読取装置が提案されている。
【０００４】
【特許文献１】特開２００６−１０８７９６公報
【発明の開示】
【発明が解決しようとする課題】
【０００５】
しかし、特許文献１に記載された装置では、機密保持が必要な原稿の処理を主眼としており、送信後の原稿を保管する必要性は高くなく、一般的に機密保持が不要な原稿を取り扱うことが多いファクシミリなどの装置においては、ペーパーレス化を実現するためにも操作性の更なる向上が望まれた。
【０００６】
本発明の目的は、上述の問題に鑑み、機密保持が不要な原稿を取り扱うことが多い機器の操作性を向上させつつ、機密保持が必要な原稿の機密を確保することができる画像形成装置を提供する点にある。
【課題を解決するための手段】
【０００７】
上述の目的を達成するため、本発明による画像形成装置の第一の特徴構成は、シート状の原稿画像を画像読取部に搬送する原稿搬送手段と、前記画像読取部で読取られた画像データを送信するファクシミリ手段を備えた画像形成装置であって、前記原稿搬送手段で搬送された原稿を排出せずに処理する原稿処理手段と、前記原稿搬送手段で搬送された原稿を排出せずに処理するか排出するかを設定する第一原稿処理設定手段を備えている点にある。
【０００８】
上述の構成によれば、保管が必要な原稿を排出設定することで、処理後、直ぐに持ち帰ることができ、ユーザは原稿を後まで管理することができる。
【０００９】
同第二の特徴構成は、同請求項２に記載した通り、上述の第一の特徴構成に加えて、前記原稿処理手段が前記原稿搬送手段で搬送された原稿を破棄する裁断手段である点にある。
【００１０】
上述の構成によれば、裁断手段により、機密の保持が必要な原稿や両面が印字された原稿は裁断される。
【００１１】
同第三の特徴構成は、同請求項３に記載した通り、上述の第一または第二の特徴構成に加えて、前記原稿処理手段が前記原稿搬送手段で搬送された原稿の裏面を記録面として記録紙収容部に収容する再給紙手段である点にある。
【００１２】
上述の構成によれば、再給紙手段により、機密の保持が不要な原稿で且つ裏面が白紙である原稿（以下、「裏紙」と言う）は、裏面を記録面として記録紙収容部に収容され、ユーザは当該裏紙を記録紙として再利用することができる。
【００１３】
同第四の特徴構成は、同請求項４に記載した通り、上述の第一の特徴構成に加えて、前記原稿処理手段が、前記原稿搬送手段で搬送された原稿を破棄する裁断手段と、前記原稿搬送手段で搬送された原稿の裏面を記録面として記録紙収容部に収容する再給紙手段を備えて構成され、原稿を破棄するか収容するかを設定する第二原稿処理設定手段を備えている点にある。
【００１４】
上述の構成によれば、第二原稿処理設定手段により設定された原稿の破棄または収容の設定に基づき、前記原稿処理手段は原稿を破棄または記録紙収容部に収容することができる。
【００１５】
同第五の特徴構成は、同請求項５に記載した通り、上述の第一の特徴構成に加えて、前記原稿処理手段が、前記原稿搬送手段で搬送された原稿を破棄する裁断手段と、前記原稿搬送手段で搬送された原稿の裏面を記録面として記録紙収容部に収容する再給紙手段を備えて構成され、前記原稿搬送手段で搬送された原稿の裏面画像を検出する裏面画像検出手段をさらに備え、原稿の裏面画像が検出されたときに裁断し、原稿の裏面画像が検出されなかったときに収容する点にある。
【００１６】
上述の構成によれば、裏面画像検出手段により原稿の裏面画像が検出されなかったときに、前記原稿処理手段は当該原稿を記録紙収容部に自動的に収容する。
【発明の効果】
【００１７】
以上、説明した通り、本発明によれば、機密保持が不要な原稿を取り扱うことが多い機器の操作性を向上させつつ、機密保持が必要な原稿の機密を確保することができる画像形成装置を提供することができるようになった。
【発明を実施するための最良の形態】
【００１８】
以下に本発明を適用した画像形成装置としての電子写真方式のデジタル複合機における第一の実施形態について説明する。
【００１９】
本発明によるデジタル複合機１は、原稿画像の複写を行う複写モードと、外部のファクシミリ機器とＦＡＸ原稿データの送受信を行うＦＡＸモードとを備え、図２に示すように、カラー表示部やハードウェアキー等が配置された操作部１０と、シート状の原稿を読み取って画像データに変換し、所定の処理を施して出力用の画像データを生成する画像読取装置１２と、前記画像読取装置１２が生成し、または後述のＦＡＸモデム部１５が受信して生成した出力用の画像データに基づいて用紙上にトナー像を形成して排出トレイ１１ｂに前記用紙を排出する電子写真方式の画像出力部１３と、本発明の記録紙収容部を含み、形成されたトナー画像が転写される被記録材である用紙が印字面を下にして収容された給紙カセット１４と、本発明のファクシミリ手段であり、図示しない外部のファクシミリ機器とＦＡＸ原稿データの送受信を行うためのＦＡＸモデム１５と、該デジタル複合機１を統括制御するシステム制御部１６を備えて構成される。
【００２０】
前記操作部１０は、例えば前記複写モードを例に説明すると、図３に示すように、複写条件を指定する複数のメニュー選択キーがソフトウェアキーの形態で配置された操作画面が表示されるタッチパネル式のカラー表示部１０ａと、画像形成動作を起動させるためのスタートキー１０２と数値入力するための数値入力キー１０３と該デジタル複合機１を複写モードで動作させるコピーキー１００と該デジタル複合機１をＦＡＸ送信モードで動作させる送信キー１０１等のハードウェアキー１０ｂと、消灯または点灯することで該デジタル複合機１の現在の動作モードをユーザに知らせるＬＥＤ１０ｃ等を備えて構成される。
【００２１】
前記画像読取装置１２は、図４に示すように、シート状の原稿をフェイスアップ方式で載置する原稿テーブル１１ａと、本発明における画像読取部である画像読取位置４０、５０に原稿を搬送する第一の原稿搬送機構３ａと、読み取った原稿を下流側へ搬送する第二の原稿搬送機構３ｂと、原稿の表面画像を読み取る第一の画像読取手段４と、原稿の裏面画像を読み取る第二の画像読取手段５とを備えて構成される。ここで、前記第一の原稿搬送機構３ａは本発明における原稿搬送手段にあたる。
【００２２】
前記第一の原稿搬送機構３ａは原稿テーブル１１ａに載置された複数の原稿から一枚の原稿を取り出すピックアップローラ３１と、前記ピックアップローラ３１により原稿が重送された場合に一枚に分離する分離ローラ３２と、分離された原稿を下流側に搬送する給紙ローラ３３と、原稿の先端を整えてコンタクトガラス６０上の画像読取位置４０、５０に搬送するレジストローラ３４とを備えて構成される。
【００２３】
前記第二の原稿搬送機構３ｂは、前記第一の原稿搬送機構３ａが搬送した原稿を原稿排出部３６に排出する排出ローラ３５と、前記画像読取位置４０、５０の下流側で、且つ前記排出ローラ３５の上流側に、前記原稿の搬送方向を変更する第一分岐爪３７を備え、更に、前記第一分岐爪３７により搬送方向が前記排出ローラ３５側から変更された前記原稿を、コンタクトガラス６１上を通して搬送する搬送ベルト３８と、前記搬送ベルト３８により搬送された前記原稿を前記画像出力部１３の備える第三の原稿搬送機構に搬送する搬送ローラ３９を備えて構成される。前記第一分岐爪３７は、図示しないソレノイドに接続され、前記ソレノイドが駆動または停止することで原稿の搬送方向を変更するように構成されている。前記第三の原稿搬送機構については後述する。
【００２４】
前記第一の画像読取手段４は、原稿を照明する第一光源４１と、原稿からの反射光を取り込む第一ミラー４２と、第二ミラー４３と、第三ミラー４４と、前記第三ミラー４４からの光線束をリニアＣＣＤ（第一ＣＣＤ）４６に合焦させるレンズ４７と、画像情報を読み取る第一ＣＣＤ４６を備えて構成され、コンタクトガラス６０上の第一の画像読取位置４０で原稿の表面画像を読み取る。
【００２５】
上述の画像読取装置１２は、原稿載置用のコンタクトガラス６１に原稿が載置されるときには、前記第一光源４１、ミラー４２、４３、４４が原稿の先端側から後端側に走査（副走査）して前記第一の画像読取手段４により原稿の表面画像を読取るミラー走査モードで作動し、前記第一の原稿搬送機構３ａにより原稿が搬送されるときには、前記第一光源４１、ミラー４２、４３、４４が図中実線で示された位置に固定され、前記第一の原稿搬送機構３ａにより搬送（副走査）される原稿の画像情報を前記第一の画像読取手段４または前記第二の画像読取手段５により読取るシートスルーモードで作動するように切替可能に構成されている。
【００２６】
前記第二の画像読取手段５は、原稿の幅方向に沿って配置されたセルフォックレンズとセルフォックレンズの上端に配置されたリニアＣＣＤ（第二ＣＣＤ）と原稿を照射する第二光源を備えてなる密着型の読取手段で構成され、前記コンタクトガラス６０上の第二の画像読取位置５０で原稿の裏面画像を読み取る。
【００２７】
前記画像出力部１３は、図１に示すように、前記出力用の画像データに基づいて感光体１３ａ１にトナー画像を形成する画像形成部１３ａと、前記給紙カセット１４に収容された用紙を搬送する用紙搬送部と、前記画像読取装置１２で読み取られた原稿を破棄する裁断手段１３ｃと、前記第二の原稿搬送機構３ｂから搬送された原稿を搬送する第三の原稿搬送機構７とを備える。前記裁断手段１３ｃは、前記原稿を裁断して破棄するシュレッダ１３ｃ１と、裁断された原稿を収容するダストボックス１３ｃ２とから構成され、本発明における原稿処理手段の内、裁断手段にあたるものである。
【００２８】
前記用紙搬送部は、夫々サイズの異なる用紙が収容された前記給紙カセット１４から前記用紙を１枚ずつ搬送する給紙搬送部１３ｂ１と、トナー像が転写された前記用紙を定着部１３ｃに向けて搬送する転写搬送部１３ｂ２と、前記定着部１３ｃを通過した前記用紙をフェイスアップ方式で前記排紙トレイ１１ｂに排出する排紙搬送部１３ｂ３とを備えて構成され、夫々には搬送用のローラが設けられている。
【００２９】
前記第三の原稿搬送機構７は、前記搬送ローラ３９の下流側で、且つ前記裁断手段１３ｄの上流側で、前記第二の原稿搬送機構３ｂにより搬送された原稿の搬送方向を変更する第二分岐爪７０と、前記原稿の表裏を反転して下流側に搬送する反転搬送機構７１と、複数の原稿搬送ローラ７２を備えて構成される。前記第二分岐爪７０により搬送方向が前記裁断手段１３ｄ側から変更された前記原稿は、前記反転搬送機構７１により表裏が反転されて白紙面が下になった状態、つまり裏面を記録面として、裏紙を被記録材として収容する給紙カセット１４ｃに搬送されて収容される。つまり、前記給紙カセット１４ｃは本発明における記録紙収容部にあたるものである。前記第二分岐爪７０は、図示しないソレノイドに接続され、前記ソレノイドが駆動または停止することで原稿の搬送方向を変更するように構成されている。即ち、本発明における原稿搬送手段にあたる前記第一の原稿搬送機構３ａで搬送された原稿の裏面を記録面として、本発明における記録紙収容部にあたる前記給紙カセット１４ｃに収容する、前記第二の原稿搬送機構３ｂと前記第三の原稿搬送機構７は、本発明における原稿処理手段の内、再給紙手段にあたるものである。
【００３０】
上述したデジタル複写機１の制御部は、図５に示すように、前記操作部１０を制御する操作制御部１０Ａと、前記画像読取装置１２を制御する画像読取制御部１２Ａと、前記画像出力部１３を制御する画像出力制御部１３Ａと、前記ＦＡＸモデム１５を制御するＦＡＸモデム制御部１５Ａと、上述の各制御部１０Ａ、１１Ａ、１２Ａ、１３Ａ、１５Ａのタイミングを制御して複写動作などの実行を管理する前記システム制御部１６とから構成され、各制御部１０Ａ、１１Ａ、１２Ａ、１３Ａ、１５Ａ、１６には夫々ＣＰＵと、前記ＣＰＵによる動作プログラムが格納されたＲＯＭ及び前記ＣＰＵの作業領域となるＲＡＭ等が設けられている。
【００３１】
前記操作制御部１０Ａは、該デジタル複合機１の操作画面等を図示しないＲＡＭに展開した後、前記カラー表示部１０ａに表示する表示制御手段１０Ａ１と、カラー表示部１０ａやハードウェアキー１０ｂに行われた操作を検出する操作入力検出手段１０Ａ２とを備える。
【００３２】
前記画像読取制御部１２Ａは、前記操作部１０の操作を検出した前記操作制御部１０Ａからの原稿読取コマンドやファックス送信コマンドを受けて、前記原稿テーブル１１ａから原稿を搬送する前記第一の原稿搬送機構３ａと、前記第一の原稿搬送機構３ａにより搬送された原稿を前記第三の原稿搬送機構７へ搬送する前記第二の原稿搬送機構３ｂとを制御する原稿搬送制御手段１２Ａ１と、原稿画像を読み取り、出力用の画像データを生成して前記画像生成制御部１３Ａまたは前記ＦＡＸモデム制御手段１５Ａに出力する原稿読取制御手段１２Ａ２とを備える。
【００３３】
前記ＦＡＸモデム制御手段１５Ａは、外部のＦＡＸとの間で行うＦＡＸ用の画像データの送受信を制御するＦＡＸ送受信手段１５Ａ１と、前記画像読取制御部１２Ａから出力された出力用の画像データを二値化処理し、ＭＨ符号化またはＭＲ符号化などにより圧縮して前記ＦＡＸ送受信手段１５Ａ１に出力し、または外部のＦＡＸからＭＨ符号化またはＭＲ符号化などにより圧縮された画像データを受信し、伸張処理して前記画像出力制御部１３Ａに出力するＦＡＸ原稿画像処理手段１５Ａ２等を備える。
【００３４】
前記画像出力制御部１３Ａは、前記画像読取制御部１２Ａ、または前記ＦＡＸモデム制御部１５Ａから出力された出力用の画像データに基づき、前記用紙搬送部により搬送される用紙に前記画像データを画像形成する前記画像形成部１３ａを制御する画像形成制御手段１３Ａ１と、前記用紙搬送部を制御する用紙搬送制御手段１３Ａ２と、前記裁断手段１３ｃのシュレッダ１３ｃ１を制御する裁断制御手段１３Ａ３とを備える。
【００３５】
以下に、該デジタル複合機１において、原稿画像の複写を行う際の動作について説明する。
【００３６】
原稿画像の複写を行う際に、ユーザが操作部１０のコピーキー１００を押圧すると、操作制御部１０Ａはこれを検出してシステム制御部１６に出力し、前記システム制御部１６が各制御部に指令を送り、該デジタル複合機１を複写モードで動作させる。
【００３７】
ユーザが、原稿テーブル１１ａにシート状の原稿を載置し、スタートキー１０２を押圧すると、操作制御部１０Ａがこれを検出し、画像読取制御部１２Ａが画像読取装置１２を制御して原稿画像を読み取って出力用の画像データを生成し、画像形成処理制御部１３Ａが画像形成部１３を制御して、給紙カセット１４から用紙を搬送し、前記画像データに基づき生成されたトナー画像を搬送した用紙に転写して定着、出力する。
【００３８】
ここで、複写モードの操作画面には、図６（ａ）、（ｂ）、（ｃ）に示すように、前記第一の原稿搬送機構３ａで搬送された原稿を排出せずに処理するか排出するかを設定する「排出／処理」ボタン８０と、原稿を排出せずに処理する際に、原稿を破棄するか再利用するために収容するかを設定する「破棄／再利用」ボタン８１とが画面の下部に配されている。つまり、前記「排出／処理」ボタン８０は本発明における第一原稿処理設定手段であり、前記「破棄／再利用」ボタン８１は本発明における第二原稿処理設定手段である。
【００３９】
前記「排出／処理」ボタン８０は押圧される度に「排出」または「処理」をネガポジ反転し、前記「破棄／再利用」ボタン８１は押圧される度に「破棄」または「再利用」をネガポジ反転する。図６（ａ）に示すように、前記「排出／処理」ボタン８０の「排出」が反転表示されているとき、前記第一の原稿搬送機構３ａにより搬送された原稿は前記第二の原稿搬送機構３ｂにより前記原稿排出部３６に排出され、前記「破棄／再利用」ボタン８１は押圧を受付けない。図６（ｂ）、（ｃ）に示すように、前記「排出／処理」ボタン８０の「処理」が反転表示されているとき、前記第一の原稿搬送機構３ａにより搬送された原稿は前記第二の原稿搬送機構３ｂにより前記原稿排出部３６に排出されずに前記第三の原稿搬送機構７に搬送され、前記「破棄／再利用」ボタン８１は押圧可能となり、前記「破棄／再利用」ボタン８１で設定した処理内容に基づき、当該原稿が処理される。つまり、図６（ｂ）に示すように、前記「破棄／再利用」ボタン８１の「破棄」が反転表示されているとき、原稿は裁断手段１３ｃに搬送され、裁断されて破棄され、図６（ｃ）に示すように、前記「破棄／再利用」ボタン８１の「再利用」が反転表示されているとき、原稿は裏紙として給紙トレイ１４ｃに格納される。
【００４０】
図６（ｂ）、（ｃ）に示すように、前記「排出／処理」ボタン８０の「処理」が反転表示されているときに、原稿画像の複写を行うため、前記スタートキー１０２が押圧された際の原稿処理の動作について、図７に示すフローチャートを用いて詳述すると、ユーザが、原稿テーブル１１ａに原稿を載置し（ＳＡ１）、スタートキー１０２を押圧すると（ＳＡ２）、前記操作制御部１０Ａはこれを検出して対応する制御部へ原稿読取コマンドを出力し、画像読取制御部１２Ａは、画像読取装置１２を制御して当該原稿を搬送し、第一の画像読取手段４または第二の画像読取手段５により当該原稿の画像を読み取る（ＳＡ３）。
【００４１】
読み取りが行われた当該原稿は、第二の原稿搬送機構３ｂにより、排紙トレイ３６に排出されることなく第三の原稿搬送機構７へ搬送される。図６（ｂ）に示すように、前記「破棄／再利用」ボタン８１の「破棄」が反転表示されているときには（ＳＡ４）、前記第三の原稿搬送機構７は当該原稿を裁断手段１３ｃに搬送し、前記裁断手段１３ｃは当該原稿を裁断して破棄し（ＳＡ５）、図６（ｃ）に示すように、前記「破棄／再利用」ボタン８１の「再利用」が反転表示されているときには（ＳＡ４）、前記第三の原稿搬送機構７は表裏を反転した後に当該原稿を給紙トレイ１４ｃに搬送して格納する（ＳＡ６）。
【００４２】
以下に、該デジタル複合機１において、原稿画像のファックス送信を行う際の動作について説明する。
【００４３】
原稿画像のファックス送信を行う際に、ユーザが操作部１０の送信キー１０１を押圧すると、操作制御部１０Ａがこれを検出してシステム制御部１６に出力し、前記システム制御部１６は各制御部に指令を送り、該デジタル複合機１をＦＡＸモードで動作させる。
【００４４】
ユーザが、カラー表示部１０ａに表示されたＦＡＸモードの操作画面の「基本」タグを押圧して表示された画面で、原稿画像を送信したい送信先の行を押圧して送信先を選択した後、原稿テーブル１１ａにシート状の原稿を載置し、スタートキー１０２を押圧すると、操作制御部１０Ａがこれを検出し、画像読取制御部１２Ａが画像読取装置１２を制御して原稿画像を読み取って出力用の画像データを生成し、ＦＡＸモデム制御部１５ＡはＦＡＸモデム１５を制御して、前記画像データを二値化してＭＨ符号化またはＭＲ符号化などにより圧縮して前記送信先にファックス送信する。尚、該デジタル複合機１には送信先名とＦＡＸ番号が予め登録、記憶されており、前記操作制御部１０Ａは、前記送信先名と前記ＦＡＸ番号を読み出して表形式でカラー表示部１０ａに表示し、ユーザは前記表から送信先の行を押圧することで送信先を選択することができる。
【００４５】
ここで、前記ＦＡＸモードの操作画面には、図８（ａ）、（ｂ）、（ｃ）に示すように、前記第一の原稿搬送機構３ａで搬送された原稿を排出せずに処理するか排出するかを設定する「排出／処理」ボタン８２と、原稿を排出せずに処理する際に、原稿を破棄するか再利用するために収容するかを設定する「破棄／再利用」ボタン８３とが画面の下部に配されている。つまり、前記「排出／処理」ボタン８２は本発明における第一原稿処理設定手段であり、前記「破棄／再利用」ボタン８３は本発明における第二原稿処理設定手段である。尚、送信先の選択にあたって、操作画面上に所望の送信先名が表示されていないときには、ユーザはスクロールボタン８４を押圧して所望の送信先名を画面上に表示することができる。
【００４６】
前記「排出／処理」ボタン８２は押圧される度に「排出」または「処理」をネガポジ反転し、前記「破棄／再利用」ボタン８３は押圧される度に「破棄」または「再利用」をネガポジ反転する。図８（ａ）に示すように、前記「排出／処理」ボタン８２の「排出」が反転表示されているとき、前記第一の原稿搬送機構３ａにより搬送された原稿は前記第二の原稿搬送機構３ｂにより前記原稿排出部３６に排出され、前記「破棄／再利用」ボタン８３は押圧を受付けない。図８（ｂ）、（ｃ）に示すように、前記「排出／処理」ボタン８２の「処理」が反転表示されているとき、前記第一の原稿搬送機構３ａにより搬送された原稿は前記第二の原稿搬送機構３ｂにより前記原稿排出部３６に排出されずに前記第三の原稿搬送機構７に搬送され、前記「破棄／再利用」ボタン８３は押圧可能となり、前記「破棄／再利用」ボタン８３で設定した処理内容に基づき、当該原稿が処理される。つまり、図８（ｂ）に示すように、前記「破棄／再利用」ボタン８３の「破棄」が反転表示されているとき、原稿は裁断手段１３ｃに搬送され、裁断されて破棄され、図８（ｃ）に示すように、前記「破棄／再利用」ボタン８３の「再利用」が反転表示されているとき、原稿は裏紙として給紙トレイ１４ｃに格納される。
【００４７】
図８（ｂ）、（ｃ）に示すように、前記「排出／処理」ボタン８２の「処理」が反転表示されているときに、原稿画像の複写を行うため、前記スタートキー１０２が押圧された際の原稿処理の動作について、図７に示すフローチャートを用いて詳述すると、ユーザが、前記原稿テーブル１１ａに原稿を載置し（ＳＡ１）、スタートキー１０２を押圧すると（ＳＡ２）、前記操作制御部１０Ａはこれを検出して対応する制御部へＦＡＸ送信コマンドを出力し、画像読取制御部１２Ａは、画像読取装置１２を制御して当該原稿を搬送し、第一の画像読取手段４と第二の画像読取手段５により当該原稿の画像を読み取る（ＳＡ３）。
【００４８】
読み取りが行われた当該原稿は、第二の原稿搬送機構３ｂにより、排出されることなく第三の原稿搬送機構７へ搬送される。図８（ｂ）に示すように、前記「破棄／再利用」ボタン８３の「破棄」が反転表示されているときには（ＳＡ４）、前記第三の原稿搬送機構７は当該原稿を裁断手段１３ｃに搬送し、裁断手段１３ｃは当該原稿を裁断して破棄し（ＳＡ５）、図８（ｃ）に示すように、前記「破棄／再利用」ボタン８３の「再利用」が反転表示されているときには（ＳＡ４）、前記第三の原稿搬送機構７は表裏を反転した後に当該原稿を給紙トレイ１４ｃに搬送して格納する（ＳＡ６）。
【００４９】
上述の第一の実施形態では、原稿を複写またはファックス送信する際に、原稿搬送機構３ａで搬送された原稿を排出せずに処理するか排出するかを第一原稿処理設定手段である「排出／処理」ボタン８０、８２で設定し、原稿を排出せずに処理すると設定したときに、原稿を破棄するか収容するかを第二原稿処理設定手段である「破棄／再利用」ボタン８１、８３で設定する構成としたが、前記「破棄／再利用」ボタン８１、８３を備えず、前記原稿搬送機構３ａで搬送された原稿の裏面画像を検出する裏面画像検出手段として第二の画像読取手段５を用い、前記第二の画像読取手段５により原稿の裏面画像が検出されたときに原稿を裁断し、原稿の裏面画像が検出されなかったときに収容するように構成することができ、これを第二の実施形態として以下に説明する。尚、上述の構成以外において、本発明を適用するデジタル複合機１の構成は、第一の実施形態と第二の実施形態で同様である。
【００５０】
第二の実施形態の構成において、該デジタル複合機１の原稿画像の複写を行う際の原稿処理の動作について説明する。
【００５１】
第二の実施形態の構成における、複写モードの操作画面の下部には、図９（ａ）、（ｂ）に示すように、前記第一の原稿搬送機構３ａで搬送された原稿を排出せずに処理するか排出するかを設定する「排出／処理」ボタン８５が配されている。つまり、前記「排出／処理」ボタン８５は本発明における第一原稿処理設定手段である。
【００５２】
前記「排出／処理」ボタン８５は押圧される度に「排出」または「処理」をネガポジ反転する。図９（ａ）に示すように、前記「排出／処理」ボタン８５の「排出」が反転表示されているとき、前記第一の原稿搬送機構３ａにより搬送された原稿は前記第二の原稿搬送機構３ｂにより前記原稿排出部３６に排出される。図９（ｂ）に示すように、前記「排出／処理」ボタン８５の「処理」が反転表示されているとき、前記第一の原稿搬送機構３ａにより搬送された原稿は前記第二の原稿搬送機構３ｂにより前記原稿排出部３６に排出されず前記第三の原稿搬送機構７に搬送され、前記第二の原稿読取手段５が読み取った原稿の裏面画像の有無に基づき、当該原稿が処理される。詳述すると、前記第二の画像読取手段５が原稿の裏面画像を検出したときに原稿は裁断され、前記第二の画像読取手段５が原稿の裏面画像を検出しなかったときに原稿は給紙トレイ１４ｃに収容される。つまり、前記第二の画像読取手段５は本発明における裏面画像検出手段にあたるものである。
【００５３】
前記「排出／処理」ボタン８５の「処理」が反転表示されているときに、原稿画像の複写を行うため、前記スタートキー１０２が押圧された際の原稿処理の動作について、図１０に示すフローチャートを用いて詳述すると、ユーザが、前記原稿テーブル１１ａに原稿を載置し（ＳＢ１）、「排出／処理」ボタン８５の「処理」を反転表示して（ＳＢ２）、スタートキー１０２を押圧すると（ＳＢ３）、前記操作制御部１０Ａはこれを検出して対応する制御部へ原稿読取コマンドを出力し、画像読取制御部１２Ａは、画像読取装置１２を制御して当該原稿を搬送し、第一の画像読取手段４と第二の画像読取手段５により当該原稿の画像を読み取る（ＳＢ４）。
【００５４】
読み取りが行われた当該原稿は、第二の原稿搬送機構３ｂにより、排出されることなく第三の原稿搬送機構７へ搬送される。前記第二の画像読取手段５が裏面画像の読み取りを行った際、当該原稿の裏面画像が検出されたときには（ＳＢ５）、前記第三の原稿搬送機構７は当該原稿を裁断手段１３ｃに搬送し、前記裁断手段１３ｃは当該原稿を裁断して破棄し（ＳＢ６）、当該原稿の裏面画像が検出されなかったときには（ＳＢ５）、前記第三の原稿搬送機構７は表裏を反転した後に当該原稿を給紙トレイ１４ｃに搬送して格納する（ＳＢ７）。
【００５５】
第二の実施形態の構成において、該デジタル複合機１の原稿画像のファックス送信を行う際の原稿処理の動作について説明する。
【００５６】
第二の実施形態の構成における、ＦＡＸモードの操作画面の下部には、図１１（ａ）、（ｂ）に示すように、前記第一の原稿搬送機構３ａで搬送された原稿を排出せずに処理するか排出するかを設定する「排出／処理」ボタン８６が配されている。つまり、前記「排出／処理」ボタン８６は本発明における第一原稿処理設定手段である。
【００５７】
前記「排出／処理」ボタン８６は押圧される度に「排出」または「処理」がネガポジ反転される。図１１（ａ）に示すように、前記「排出／処理」ボタン８６の「排出」が反転表示されているとき、前記第一の原稿搬送機構３ａにより搬送された原稿は前記第二の原稿搬送機構３ｂにより前記原稿排出部３６に排出される。図１１（ｂ）に示すように、前記「排出／処理」ボタン８５の「処理」が反転表示されているとき、前記第一の原稿搬送機構３ａにより搬送された原稿は前記第二の原稿搬送機構３ｂにより前記原稿排出部３６に排出されず前記第三の原稿搬送機構７に搬送され、前記第二の原稿読取手段５が読み取った原稿の裏面画像の有無に基づき、当該原稿が処理される。詳述すると、前記第二の画像読取手段５が原稿の裏面画像を検出したときに原稿は裁断され、前記第二の画像読取手段５が原稿の裏面画像を検出しなかったときに原稿は給紙トレイ１４ｃに収容されるように構成されている。つまり、前記第二の画像読取手段５は本発明における裏面画像検出手段にあたるものである。
【００５８】
前記「排出／処理」ボタン８６の「処理」が反転表示されているときに、原稿画像のファックス送信を行うため、前記スタートキー１０２が押圧された際の原稿処理の動作について、図１０に示すフローチャートを用いて詳述すると、ユーザが、前記原稿テーブル１１ａに原稿を載置し（ＳＢ１）、「排出／処理」ボタン８６の「処理」を反転表示して（ＳＢ２）、スタートキー１０２を押圧すると（ＳＢ３）、前記操作制御部１０Ａはこれを検出して対応する制御部へＦＡＸ送信コマンドを出力し、画像読取制御部１２Ａは、画像読取装置１２を制御して当該原稿を搬送し、第一の画像読取手段４と第二の画像読取手段５により当該原稿の画像を読み取る（ＳＢ４）。
【００５９】
読み取りが行われた当該原稿は、第二の原稿搬送機構３ｂにより、排出されることなく第三の原稿搬送機構７へ搬送される。前記第二の画像読取手段５が裏面画像の読み取りを行った際、当該原稿の裏面画像が検出されたときには（ＳＢ５）、前記第三の原稿搬送機構７は当該原稿を裁断手段１３ｃに搬送し、前記裁断手段１３ｃは当該原稿を裁断して破棄し（ＳＢ６）、当該原稿の裏面画像が検出されなかったときには（ＳＢ５）、前記第三の原稿搬送機構７は表裏を反転した後に当該原稿を給紙トレイ１４ｃに搬送して格納する（ＳＢ７）。
【００６０】
上述の第一の実施形態では、原稿画像の複写またはファックス送信を行う際、原稿搬送機構３ａで搬送された原稿を排出せずに処理するか排出するかを第一原稿処理設定手段である「排出／処理」ボタン８０、８２で設定し、原稿を排出せずに処理すると設定したときに、原稿を破棄するか収容するかを第二原稿処理設定手段である「破棄／再利用」ボタン８１、８３で設定して、スタートキー１０２を押圧し、複写またはファックス送信を行うと言うように三段階の手順が必要であり、上述の第二の実施形態では、原稿画像の複写またはファックス送信を行う際、原稿搬送機構３ａで搬送された原稿を排出せずに処理するか排出するかを第一原稿処理設定手段である「排出／処理」ボタン８５、８６で設定して、スタートキー１０２を押圧し、複写またはファックス送信を行うと言うように二段階の手順が必要であった。以下に、これらの煩雑な手順を軽減する第三の実施形態を説明する。尚、第三の実施形態で、本発明を適用するデジタル複合機１の構成は、以下に説明する構成以外において、上述の第二の実施形態と同様である。
【００６１】
第三の実施形態の構成において、該デジタル複合機１の原稿画像の複写を行う際の原稿処理の動作について説明する。
【００６２】
第三の実施形態の構成における、複写モードの操作画面の下部には、図１２に示すように、画面の下部に「複写実行（原稿排出）」ボタン９０と、「複写実行（原稿処理）」ボタン９１とが配され、前記「複写実行（原稿排出）」ボタン９０が押圧されると、前記第一の原稿搬送機構３ａにより搬送された原稿は前記第二の原稿搬送機構３ｂにより原稿排出部３６に排出される。前記「複写実行（原稿処理）」ボタン９１が押圧されると、前記第一の原稿搬送機構３ａにより搬送された原稿は前記第二の原稿搬送機構３ｂにより前記第三の原稿搬送機構７に搬送され、前記第三の原稿搬送機構７により、裁断手段１３ｃに搬送され破棄、または裏紙として給紙トレイ１４ｃに搬送され格納される。つまり、前記「複写実行（原稿排出）」ボタン９０と前記「複写実行（原稿処理）」ボタン９１は本発明における第一原稿処理設定手段である。
【００６３】
前記「複写実行（原稿処理）」ボタン９１が押圧された際の原稿処理の動作について、図１３に示すフローチャートを用いて詳述すると、ユーザが、原稿テーブル１１ａに原稿を載置し（ＳＣ１）、前記「複写実行（原稿処理）」ボタン９１を押圧すると（ＳＣ２）、前記操作制御部１０Ａはこれを検出して対応する制御部へ原稿読取コマンドを出力し、画像読取制御部１２Ａは、画像読取装置１２を制御して当該原稿を搬送し、第一の画像読取手段４と第二の画像読取手段５により当該原稿の表裏画像を読み取る（ＳＣ３）。
【００６４】
読み取りが行われた当該原稿は、第二の原稿搬送機構３ｂにより、排出されることなく第三の原稿搬送機構７へ搬送される。前記第二の画像読取手段５が裏面画像の読み取りを行った際、当該原稿の裏面画像が検出されたときには（ＳＣ４）、前記第三の原稿搬送機構７は当該原稿を裁断手段１３ｃに搬送し、裁断手段１３ｃは当該原稿を裁断して破棄し（ＳＡ５）、当該原稿の裏面画像が検出されなかったときには（ＳＣ４）、前記第三の原稿搬送機構７は表裏を反転した後に当該原稿を給紙トレイ１４ｃに搬送して格納する（ＳＣ６）。
【００６５】
第三の実施形態の構成において、該デジタル複合機１の原稿画像のファックス送信を行う際の原稿処理の動作について説明する。
【００６６】
第三の実施形態の構成における、前記ＦＡＸモードの操作画面の下部には、図１４に示すように、「送信実行（原稿排出）」ボタン９２と、「送信実行（原稿処理）」ボタン９３とが配され、前記「送信実行（原稿排出）」ボタン９２が押圧されると、前記第一の原稿搬送機構３ａにより搬送された原稿は前記第二の原稿搬送機構３ｂにより原稿排出部３６に排出される。前記「送信実行（原稿処理）」ボタン９３が押圧されると、前記第一の原稿搬送機構３ａにより搬送された原稿は前記第二の原稿搬送機構３ｂにより前記第三の原稿搬送機構７に搬送され、前記第三の原稿搬送機構７により、裁断手段１３ｃに搬送され破棄、または裏紙として給紙トレイ１４ｃに搬送され格納される。つまり、前記「送信実行（原稿排出）」ボタン９２と前記「送信実行（原稿処理）」ボタン９３は本発明における第一原稿処理設定手段である。
【００６７】
前記「送信実行（原稿処理）」ボタン９３が押圧された際の原稿処理の動作について、図１５に示すフローチャートを用いて詳述すると、ユーザが、前記原稿テーブル１１ａに原稿を載置し（ＳＤ１）、前記「送信実行（原稿処理）」ボタン９３を押圧すると（ＳＤ２）、前記操作制御部１０Ａはこれを検出して対応する制御部へＦＡＸ送信コマンドを出力し、画像読取制御部１２Ａは、画像読取装置１２を制御して当該原稿を搬送し、第一の画像読取手段４と第二の画像読取手段５により当該原稿の表裏画像を読み取る（ＳＤ３）。
【００６８】
読み取りが行われた当該原稿は、第二の原稿搬送機構３ｂにより、排出されることなく第三の原稿搬送機構７へ搬送される。前記第二の画像読取手段５が裏面画像の読み取りを行った際、当該原稿の裏面画像が検出されたときには（ＳＤ４）、前記第三の原稿搬送機構７は当該原稿を裁断手段１３ｃに搬送し、前記裁断手段１３ｃは当該原稿を裁断して破棄し（ＳＤ５）、当該原稿の裏面画像が検出されなかったときには（ＳＤ４）、前記第三の原稿搬送機構７は表裏を反転した後に当該原稿を給紙トレイ１４ｃに搬送して格納する（ＳＤ６）。
【００６９】
上述の第一から第三の実施形態では、裁断して破棄された原稿を復元することができないが、一般的に機密保持が不要な原稿を取り扱うことが多いファクシミリなどの装置において、操作を誤り、本来は保管すべき原稿を裁断処理してしまうことがある。以下に、ファックス送信した後、裁断処理した原稿を復元することのできる第四の実施形態を説明する。尚、第四の実施形態で、本発明を適用するデジタル複合機１の構成は、以下に説明する構成以外において、上述の第一から第三の何れかの実施形態と同様である。
【００７０】
第四の実施形態における該デジタル複合機１のＦＡＸモデム制御部１５Ａは、図１６に示すように、前記ＦＡＸ送受信手段１５Ａ１と、前記ＦＡＸ原稿画像処理手段１５Ａ２とに加え、ＦＡＸ送信履歴を記憶し、更に、送信したＦＡＸ用の画像データの変換前の出力用の画像データを、ＦＡＸ送信履歴の送信先名と送信時刻と関連させて、予め設定された所定時間、一時記憶するＦＡＸ履歴記憶手段１５Ａ３を備える。
【００７１】
前記ＦＡＸ履歴記憶手段１５Ａ３は、ファックス送信した原稿が破棄されたときに当該原稿の出力用の画像データを一時記憶するように構成されている。原稿のＦＡＸ用の画像データをファックス送信した際に、前記ＦＡＸ履歴記憶手段１５Ａ３が前記原稿の出力用の画像データを一時記憶する所定時間は、前記操作部１０を操作したユーザにより予め設定される。原稿の復元が行われる際には、前記ＦＡＸ履歴記憶手段１５Ａ３により記憶されたＦＡＸ送信履歴が前記操作制御部１０Ａにより読み出され、前記操作制御部１０Ａにより前記ＦＡＸ送信履歴の送信先名と送信時刻と共に、対応する原稿の復元可否が表形式でカラー表示部１０ａに表示される。
【００７２】
前記ＦＡＸ履歴記憶手段１５Ａ３は、前記操作制御部１０Ａからの送信先名と送信時刻等を含む原稿復元コマンドを受信すると、前記送信先名と前記送信時刻に基づき、一時記憶した出力用の画像データの中から対応する画像データを前記画像生成制御部１３Ａに出力し、また、前記所定時間が経過すると一時記憶した画像データを消去する。つまり、前記所定時間に限りユーザはファックス送信後に破棄した原稿を復元することができる。
【００７３】
第四の実施形態の構成による該デジタル複合機１において、原稿画像のファックス送信を行った後、破棄した原稿を復元する際の動作について説明する。
【００７４】
ファックス送信後に破棄した原稿の復元を行う際に、ユーザが操作部１０の送信キー１０１を押圧すると、操作制御部１０Ａがこれを検出してシステム制御部１６に出力し、前記システム制御部１６は各制御部に指令を送り、該デジタル複合機１をＦＡＸモードで動作させる。
【００７５】
ユーザが、カラー表示部１０ａに表示されたＦＡＸモードの操作画面の「送信履歴」タブを押圧し、図１７に示すように、表示された画面で、復元可能な原稿のうち、復元したい原稿の送信先名と送信時刻の表示された行を押圧して選択した後、画面の下部に配された「復元実行」ボタン９４を押圧すると、操作制御部１０Ａがこれを検出して前記ＦＡＸモデム制御部１５Ａに選択された行に表示された送信先名と送信時刻を含む原稿復元コマンドを出力し、前記ＦＡＸモデム制御部１５Ａは、前記送信先名と前記送信時刻に基づき、復元したい原稿の出力用の画像データを前記画像出力制御部１３Ａに出力し、前記画像出力制御部１３Ａは、前記出力用の画像データに基づき、前記画像出力部１３を制御して、破棄した原稿を復元する。尚、復元したい原稿の選択にあたって、操作画面上に所望の原稿の送信先名と送信時刻が表示されていないときには、ユーザはスクロールボタン９５を押圧して所望の原稿の送信先名と送信時刻を画面上に表示することができる。
【００７６】
以下、別実施形態を説明する。
【００７７】
上述の第三の実施形態では、第一の実施形態における、原稿を破棄するか収容するかを設定する第二原稿処理設定手段としての「破棄／再利用」ボタン８１、８３を操作画面に備えず、原稿を破棄するか収容するかを裏面画像検出手段としての第二の画像読取手段５による裏面画像の検出の有無により判断する構成としたが、前記裏面画像検出手段を備えず、前記「破棄／再利用」ボタン８１、８３を操作画面に備え、前記「破棄／再利用」ボタン８１、８３により、原稿を破棄するか収容するかを設定する構成としてもよい。
【００７８】
上述の第一から第四の何れかの実施形態では、「排出／処理」ボタン８０、８２、８５、８６、または「破棄／再利用」ボタン８１、８３、または「複写実行（原稿排出）」ボタン９０、または「複写実行（原稿処理）」ボタン９１、または「送信実行（原稿排出）」ボタン９２、または「送信実行（原稿処理）」ボタン９３、または「復元実行」ボタン９４が、夫々カラー表示部１０ａに表示された操作画面上にソフトウェアキーとして配されるものとして説明したが、これらが前記操作部１０等にハードウェアキーとして配置するものであっても良い。
【００７９】
上述の第四の実施形態では、ファックス送信を行った原稿のうち、破棄した原稿のみ復元可能な構成としたが、複写モードとＦＡＸモードを問わず、原稿読取装置１２で読み取り、廃棄した全ての原稿について復元可能な構成としても良い。この場合、前記原稿読取装置１２で原稿画像の読み取りを行い、出力用の画像データを生成し、原稿を廃棄した後、前記画像データを記憶する出力用画像データ記憶手段を該デジタル複合機１に備え、操作部１０等を操作したユーザの原稿復元指令に基づき、前記出力用画像データ記憶手段が前記出力用の画像データを画像生成制御部１３Ａに出力し、前記前記画像生成制御部１３Ａが原稿を復元するように構成することで実施可能である。
【００８０】
上述の第四の実施形態では、ユーザはＦＡＸ送信履歴から、復元したい原稿を選択し、選択された原稿を復元する構成としたが、該デジタル複合機１に認証手段を備え、原稿復元を指令するユーザにユーザＩＤやパスワードなどの入力を求め、認証が完了した後に復元したい原稿の選択を許可するように構成してもよく、この場合、不正なユーザによる原稿復元を防ぐことができる。尚、前記認証は、復元したい原稿を選択した後に行うものであってもよいことは言うまでもない。
【００８１】
上述の第一から第四の何れかの実施形態では、第三の原稿搬送機構７が搬送する原稿の反転搬送機構７１を備える構成としたが、原稿の裏面を読み取る第二の画像読取手段５を備えず、画像読取位置４０で読み取った原稿の表裏を反転して再び前記画像読取位置４０へ搬送する第４の原稿搬送機構を備え、第一の画像読取手段４に表裏の画像データを読み込ませる構成としても良い。この場合、第二から第四の何れかの実施形態において、原稿読取時に、給紙カセット１４ｃに収容可能な向きに原稿の表裏を反転することができるため、前記反転搬送機構７は不要であり、更に、前記第一の画像読取手段４を本発明における裏面画像検出手段として動作させることで前記第二の画像読取手段５を必要としない。
【００８２】
上述の第二から第四の何れかの実施形態では、本発明による裏面画像検出手段としてリニアＣＣＤなどからなる第二の画像読取手段５を用いる構成としたが、出力用の画像データを生成することなく、単に原稿の裏面に画像があるか否かを判断可能に構成された画像検出センサ等で裏面画像検出手段を構成するものであっても良い。前記画像検出センサとしては例えば、リニアＣＣＤなどを用いることで実施可能である。
【００８３】
上述の第二から第四の何れかの実施形態では、該デジタル複写機１は、本発明における原稿処理手段として、第二の原稿搬送機構３ｂと第三の原稿搬送機構７とからなる再給紙手段と、裁断手段１３ｃとを備えている構成としたが、前記原稿処理手段として、前記再給紙手段または前記裁断手段１３ｃの何れかを備える構成としても良い。
【００８４】
上述した複数の実施形態は共に単独で構成されるものばかりではなく、本発明による作用効果を奏する範囲において適宜組み合わせるも可能である。
【００８５】
上述の実施形態は何れも本発明の一実施形態に過ぎず、各部の具体的構成は本発明による作用効果を奏する範囲において適宜変更することができることは言うまでもない。
【図面の簡単な説明】
【００８６】
【図１】画像出力部の説明図
【図２】デジタル複写機の外観図
【図３】操作部の説明図
【図４】原稿読取部の説明図
【図５】デジタル複合機の制御部のブロック構成図
【図６】（ａ）複写モードの操作画面の説明図、（ｂ）複写モードの操作画面の説明図、（ｃ）複写モードの操作画面の説明図
【図７】「排出／処理」ボタンの「処理」が反転表示された際における原稿処理の説明に用いるフローチャート
【図８】（ａ）ＦＡＸモードの操作画面の説明図、（ｂ）ＦＡＸモードの操作画面の説明図、（ｃ）ＦＡＸモードの操作画面の説明図
【図９】（ａ）複写モードの操作画面の説明図、（ｂ）複写モードの操作画面の説明図
【図１０】「排出／処理」ボタンの「処理」が反転表示された際における原稿処理の説明に用いるフローチャート
【図１１】（ａ）ＦＡＸモードの操作画面の説明図、（ｂ）ＦＡＸモードの操作画面の説明図
【図１２】複写モードの操作画面の説明図
【図１３】「複写実行（原稿処理）」ボタンが押圧された際における原稿処理の説明に用いるフローチャート
【図１４】ＦＡＸモードの操作画面の説明図
【図１５】「送信実行（原稿処理）」ボタンが押圧された際における原稿処理の説明に用いるフローチャート
【図１６】デジタル複合機の制御部のブロック構成図
【図１７】ＦＡＸモードの操作画面の説明図
【符号の説明】
【００８７】
３ｂ：第二の原稿搬送機構
７：第三の原稿搬送機構
１１ａ：原稿テーブル
１１ｂ：排出トレイ
１２：画像読取装置
１３ａ：画像形成部
１３ｃ：定着部
１３ｄ：裁断手段（原稿処理手段）
１４ｃ：記録紙収容部（原稿処理手段であり給紙トレイの１つ）
７１：反転搬送機構
【図１】
2008060678.tif 000003
【図２】
2008060678.tif 000004
【図４】
2008060678.tif 000005
【図５】
2008060678.tif 000006
【図６】
2008060678.tif 000007
【図７】
2008060678.tif 000008
【図８】
2008060678.tif 000009
【図９】
2008060678.tif 000010
【図１０】
2008060678.tif 000011
【図１１】
2008060678.tif 000012
【図１２】
2008060678.tif 000013
【図１３】
2008060678.tif 000014
【図１４】
2008060678.tif 000015
【図１５】
2008060678.tif 000016
【図１６】
2008060678.tif 000017
【図１７】
2008060678.tif 000018
【図３】
2008060678.tif 000019